(57)【要約】【課題】基板収納装置を提供する。【解決手段】本発明による基板収納装置は、内部に基板収納空間を形成するフレームと、フレームの一方側に結合され、基板収納空間で挿入された基板を支持する基板支持部と、フレームの一方側に配置され、基板の落下衝撃を緩和させる緩衝部と、を含むことを特徴とする。【選択図】図１
2015079927.tif 000002
【特許請求の範囲】
【請求項１】
内部に基板収納空間を形成するフレーム部と、
前記フレーム部の一方側に結合され、前記基板収納空間で挿入された基板を支持する基板支持部と、
前記フレーム部の一方側に配置され、前記基板の落下衝撃を緩和させる緩衝部と、
を含む基板収納装置。
【請求項２】
前記緩衝部は，
前記フレーム部の下部に配置され、前記フレーム部を支持するフレーム支持部と、
前記フレーム支持部に結合され、前記基板支持部と並んで前記基板収納空間に配置される緩衝部材と、
を含むことを特徴とする請求項１に記載の基板収納装置。
【請求項３】
前記フレーム支持部は、前記緩衝部材が収納される収納溝をさらに含むことを特徴とする請求項２に記載の基板収納装置。
【請求項４】
前記緩衝部は、前記収納溝内に配置され、前記緩衝部を支持する弾性部材をさらに含むことを特徴とする請求項３に記載の基板収納装置。
【請求項５】
前記フレーム部は、複数の横棒、複数の縦棒及び複数のポストが互いに接続されて、上側が開放された六面体に形成されたことを特徴とする請求項１から４のいずれか１項に記載の基板収納装置。
【請求項６】
前記基板支持部は、前記フレーム部の下端で、互いに対向する前記横棒または前記縦棒に接続されることを特徴とする請求項５に記載の基板収納装置。
【請求項７】
前記フレーム部の側面に設置され、前記基板の挿入経路を案内する基板ガイド部をさらに含むことを特徴とする請求項１から６のいずれか１項に記載の基板収納装置。
【請求項８】
前記基板ガイド部は、前記基板が挿入されるガイド溝を形成するように、折り曲げられて形成されたことを特徴とする請求項７に記載の基板収納装置。
【請求項９】
前記基板ガイド部は、折り曲げられて前記ガイド溝を形成する第１折曲部及び第２折曲部を含むことを特徴とする請求項８に記載の基板収納装置。
【請求項１０】
前記基板ガイド部は、前記第１折曲部及び前記第２折曲部の間の折り曲げられた角度を前記基板ガイド部の延長方向に沿って可変にすることを特徴とする請求項９に記載の基板収納装置。
【発明の詳細な説明】
【技術分野】
【０００１】
本発明は、基板収納装置に関する。
【背景技術】
【０００２】
近年、電子製品の厚さが薄くなるにつれて電子部品を実装する印刷回路基板の厚さもますます薄くなっている。
【０００３】
印刷回路基板は、合成樹脂からなる基板の一面または両面に回路パターンを形成し、その後、基板上に電子部品を配置固定して電子製品に用いられている。このような印刷回路基板は、回路パターンを形成するために、多くの製造工程を経る。このとき、製造工程間の移動や取り扱いのために、印刷回路基板は、基板収納装置に収納されることになる。
【０００４】
しかし、厚さの薄い印刷回路基板は、基板収納装置に収納されるとき、衝撃により破損が生じやすい。
【先行技術文献】
【特許文献】
【０００５】
【特許文献１】韓国公開特許第２０１０−００６８７５４号公報
【発明の概要】
【発明が解決しようとする課題】
【０００６】
本発明は、基板の落下衝撃を緩和することができる基板収納装置を提供することにその目的がある。
【課題を解決するための手段】
【０００７】
本発明の一側面によれば、内部に基板収納空間を形成するフレームと、フレームの一側に結合され、基板収納空間で、挿入された基板を支持する基板支持部と、フレームの一側に配置され、基板の落下衝撃を緩和させる緩衝部と、を含む基板収納装置が提供される。
【０００８】
緩衝部は、フレームの下部に配置され、フレームを支持するフレーム支持部と、フレーム支持部に結合され、基板支持部と並んで基板収納空間に配置される緩衝部材とを含むことができる。
【０００９】
フレーム支持部は、緩衝部材が収納される収納溝をさらに含むことができる。
【００１０】
緩衝部は、収納溝内に配置され、緩衝部を支持する弾性部材をさらに含むことができる。
【００１１】
フレーム部は、複数の横棒、複数の縦棒及び複数のポストが互いに接続され、上側が開放された六面体に形成されることができる。
【００１２】
基板支持部は、フレーム部の下端で、互いに対向する横棒または縦棒に接続されることができる。
【００１３】
フレームの側面に設置され、基板の挿入経路を案内する基板ガイド部をさらに含むことができる。
【００１４】
基板ガイド部は、基板が挿入されるガイド溝を形成するために、折り曲げられて形成されてもよい。
【００１５】
基板ガイド部は、折り曲げられてガイド溝を形成する第１折曲部及び第２折曲部を含むことができる。
【００１６】
基板ガイド部は、第１折曲部及び第２折曲部の間の折り曲げられた角度を基板ガイド部の延長方向に沿って可変にすることができる。
【発明の効果】
【００１７】
本発明の一実施例よれば、基板の落下衝撃を緩和させる基板収納装置を提供することができる。
【図面の簡単な説明】
【００１８】
【図１】本発明の一実施例に係る基板収納装置が分離された状態を示す図面である。
【図２】本発明の一実施例に係る基板収納装置が結合された状態を示す図面である。
【図３】本発明の他の実施例に係る緩衝部の構成を示す図面である。
【図４】本発明の他の実施例に係る基板ガイド部の構造を示す図面である。
【図５】本発明の他の実施例に係る基板ガイド部の構造を示す図面である。
【図６】図５に示されたＩ−Ｉ'の指示線に沿って切断した断面を示す図面である。
【図７】図５に示されたＩＩ−ＩＩ'の指示線に沿って切断した断面を示す図面である。
【発明を実施するための形態】
【００１９】
本発明は多様な変換を加えることができ、様々な実施例を有することができるため、特定実施例を図面に例示し、詳細に説明する。しかし、これは本発明を特定の実施形態に限定するものではなく、本発明の思想及び技術範囲に含まれるあらゆる変換、均等物ないし代替物を含むものとして理解されるべきである。本発明を説明するに当たって、係る公知技術に対する具体的な説明が本発明の要旨をかえって不明にすると判断される場合は、その詳細な説明を省略する。
【００２０】
「第１」、「第２」などの用語は、多様な構成要素を説明するために用いられるに過ぎず、構成要素がそれらの用語により限定されるものではない。それらの用語は一つの構成要素を他の構成要素から区別する目的だけに用いられる。
【００２１】
本出願で用いた用語は、ただ特定の実施例を説明するために用いたものであって、本発明を限定するものではない。単数の表現は、文の中で明らかに表現しない限り、複数の表現を含む。本出願において、「含む」または「有する」などの用語は、明細書上に記載された特徴、数字、段階、動作、構成要素、部品またはこれらを組合せたものの存在を指定するものであって、一つまたはそれ以上の他の特徴や数字、段階、動作、構成要素、部品またはこれらを組合せたものの存在または付加可能性を予め排除するものではないと理解しなくてはならない。
【００２２】
以下、本発明に係る基板収納装置の実施例を添付図面に基づいて詳細に説明し、添付図面を参照して説明するに当たって、同一または対応する構成要素には同一の図面符号を付し、これに対する重複説明は省略する。
【００２３】
図１は、本発明の一実施例に係る基板収納装置が分離された状態を示す図面である。図２は、本発明の一実施例に係る基板収納装置が結合された状態を示す図面である。
【００２４】
図１及び図２を参照すると、本発明の一実施例に係る基板収納装置は、フレーム部１１０と、基板支持部１２０と、基板ガイド部１３０と、緩衝部１４０と、を含む。
【００２５】
フレーム部１１０は、内部に基板収納空間を形成する。ここで、フレーム部１１０は、互いに接続された複数の横棒１１２、複数の縦棒１１４及び複数のポスト１１６を含むことができる。このようなフレーム部１１０は、複数の横棒１１２、複数の縦棒１１４、及び複数のポスト１１６が互いに接続され、六面体を形成することができる。
【００２６】
横棒１１２及び縦棒１１４は、互いに接続され、複数の四角フレーム形状の上部フレーム及び下部フレームを形成することができる。ポスト１１６は、上部フレーム及び下部フレームを接続して六面体を形成することができる。このとき、横棒１１２、縦棒１１４及びポスト１１６は、それぞれの延長方向と直交する方向に切断された面が、円形、楕円形、多角形に形成されることができる。また、フレーム部１１０は、上側から挿入される基板５０を収容するために、ポスト１１６が基板５０の横の長さ及び縦の長さよりも長く形成されることができる。
【００２７】
本発明の一実施例に係る基板収納装置が基板エッチング工程で使用される場合、フレーム部１１０は、エッチング液でエッチングされない材料からなることができる。例えば、フレーム部１１０は、エッチング液でエッチングされない金属からなることができる。しかし、これに限定されず、様々な材料から構成されることができる。
【００２８】
基板支持部１２０は、フレーム部１１０の一方側に結合され、基板収納空間に挿入された基板５０を支持する。具体的に、基板支持部１２０は、フレーム部１１０の下端に少なくとも１つを設置することができる。また、基板支持部１２０は、挿入される基板５０の下端を支持することができる。このとき、基板支持部１２０は、一方向に延長され、フレーム部１１０の下端で互いに対向する横棒１１２または縦棒１１４に接続されることができる。
【００２９】
基板支持部１２０は、基板５０が挿入される固定溝１２５を含むことができる。固定溝１２５は、基板支持部１２０の延長方向と直交する方向に形成可能である。このような基板支持部１２０は、固定溝１２５に挿入された基板５０を固定することができる。基板支持部１２０は、固定溝１２５に挿入された基板５０が基板支持部１２０の延長方向へ動くことを防止することができる。また、基板支持部１２０は、挿入された複数の基板５０が互いに衝突しないように、離隔した状態で支持することができる。
【００３０】
本発明の一実施例に係る基板収納装置が基板エッチング工程で使用される場合、基板支持部１２０は、エッチング液でエッチングされない材料からなることができる。例えば、基板支持部１２０は、エッチング液でエッチングされない金属からなることができる。しかし、これに限定されず、様々な物質からなることができる。
【００３１】
基板ガイド部１３０は、基板５０の挿入経路を案内する。基板ガイド部１３０は、フレーム部１１０の側面で複数個が、互いに対向するように設置されることができる。基板ガイド部１３０は、ポスト１１６と並んで配置され、フレーム部１１０の上側から挿入される基板５０をガイドすることになる。このために、基板ガイド部１３０は、基板５０が挿入されるガイド溝１３５を形成するように、折り曲げられて形成できる。例えば、基板ガイド部１３０は、延長方向と直交する方向に切断した断面が"コ"形状に折り曲げられて形成されることができる。このとき、ガイド溝１３５は、基板ガイド部１３０の長さ方向に延長されて形成されることができる。
【００３２】
緩衝部１４０は、フレーム部１１０の一方側に配置され、基板５０の落下衝撃を緩和する。具体的に、緩衝部１４０は、フレーム部１１０の下部に配置され、フレーム部１１０を支持するフレーム支持部１４２、及びフレーム支持部１４２に結合され、基板５０の落下衝撃を緩和する緩衝部材１５０を含むことができる。
【００３３】
フレーム支持部１４２は、フレーム部１１０の下部でフレーム部１１０及び緩衝部材１５０を支持する。ここで、フレーム支持部１４２は、フレーム部１１０を支持するように、フレーム部１１０に相応する面積に形成されることができる。
【００３４】
緩衝部材１５０は、一方向に延長され、フレーム部１１０の下部に少なくとも１つを配置することができる。ここで、緩衝部材１５０は、フレーム支持部１４２に結合され、基板支持部１２０と並んで配置されてもよく、または、緩衝部材１５０は、フレーム支持部１４２に形成された収納溝１４５に収納されて、基板支持部１２０と並んで配置されてもよい。このために、フレーム支持部１４２での緩衝部材１５０を収納する収納溝１４５は、基板支持部１２０と並んで延長されて形成されることができる。このとき、収納溝１４５は、内部に緩衝部１４０が挿入されるように、緩衝部１４０よりも大きく形成されることができ、または、収納溝１４５は、緩衝部１４０の一部のみが挿入されるように、多段に形成されることもできる。
【００３５】
緩衝部材１５０は、基板支持部１２０と並んで配置されて、基板支持部１２０の固定溝１２５に基板５０が挿入されるとき、落下衝撃を緩和することができる。また、緩衝部材１５０は、基板５０の落下衝撃を緩和させるために、基板支持部１２０の固定溝１２５の底よりも高く形成されることができる。例えば、図１に示すように、緩衝部材１５０の高さ（Ｈ２）は、基板支持部１２０の固定溝１２５の底の高さ（Ｈ１）よりも高く形成されることができる。このような緩衝部材１５０は、固定溝１２５の底に基板５０が衝突する前に基板５０と接触し、基板５０の落下速度を低減させて基板５０に加えられる衝撃を分散させることができる。
【００３６】
緩衝部材１５０は、衝撃を吸収するために、弾性を有する物質から形成されることができる。ここで、緩衝部材１５０は、ゴムまたはスポンジなどのように、衝撃を吸収する高分子物質で形成されることができる。しかし、これに限定されず、様々な物質で形成されることができる。
【００３７】
本発明の一実施例に係る基板収納装置は、基板が収納されるフレーム部１１０の下部に緩衝部１４０を配置し、基板５０の落下衝撃を緩和させ、基板５０の破損及び異物発生を防止することができる。
【００３８】
図３は、本発明の他の実施例に係る緩衝部の構成を示す図面である。
【００３９】
図３を参照すると、本発明の他の実施例に係る緩衝部１４０は、緩衝部材１５０を収納する収納溝１４５が形成されたフレーム支持部１４２と、収納溝１４５に収納され、緩衝部材１５０を弾性支持する弾性部材１６０と、を含む。
【００４０】
弾性部材１６０は、収納溝１４５内に少なくとも１つを配置することができる。また、弾性部材１６０は、緩衝部材１５０が受ける衝撃を分散させ、かつ緩衝部材１５０を支持する弾性体で形成されることができる。例えば、弾性部材１６０は、スプリングなどの弾性体を含むことができる。
【００４１】
本発明の他の実施例に係る緩衝部１４０は、基板５０の落下衝撃をより効果的に緩和できる。
【００４２】
図４及び図５は、本発明の他の実施例に係る基板ガイド部の構造を示す図面である。図６は、図５に示されたＩ−Ｉ'の指示線に沿って切断した断面を示す図面である。図７は、図５に示されたＩＩ−ＩＩ'の指示線に沿って切断した断面を示す図面である。
【００４３】
図４から図７を参照すると、本発明の他の実施例に係る基板ガイド部１３０は、折り曲げられてガイド溝１３５を形成する第１折曲部１３２及び第２折曲部１３４を含む。
【００４４】
ここで、基板ガイド部１３０は、第１折曲部１３２及び第２折曲部１３４が予め設定された角度で折り曲げられることができる。このとき、基板ガイド部１３０は、延長方向と直交する方向に切断された断面において、第１折曲部１３２及び第２折曲部１３４の間の折り曲げられた角度を延長方向に沿って可変にすることができる。
【００４５】
具体的に、図６に示すように、基板ガイド部１３０の上部で切断された断面における第１折曲部１３２及び第２折曲部１３４の折り曲げられた角度は、第１角度（θ１）であり、第１折曲部１３２の端部及び第２折曲部１３４の端部の間の距離は、第１距離（Ｌ１）であると設定することができる。
【００４６】
また、図７に示すように、基板ガイド部１３０の下部で切断された断面における第１折曲部１３２及び第２折曲部１３４の折り曲げられた角度は、第２角度（θ２）であり、第１折曲部１３２の端部及び第２折曲部１３４の端部の間の距離は、第２距離（Ｌ２）であると設定することができる。
【００４７】
ここで、基板ガイド部１３０は、第２角度（θ２）が第１角度（θ１）よりも小さくてもよい。また、基板ガイド部１３０は、第２距離（Ｌ２）が第１距離（Ｌ１）よりも小さくてもよい。
【００４８】
本発明の他の実施例に係る基板ガイド部１３０は、下部に行くほどガイド溝１３５の延長方向に直交する断面の面積が細くなって、挿入された基板の落下速度を低減させることができる。これにより、本発明の他の実施例に係る基板ガイド部１３０は、基板の落下衝撃を緩和させることができる。
【００４９】
以上の説明は、本発明の技術思想を例示的に説明したものに過ぎず、本発明が属する技術分野で通常の知識を有する者であれば本発明の本質的な特性から逸脱しない範囲内で、本発明を多様に修正及び変形させることができることを理解できよう。
【００５０】
したがって、本発明に開示された実施例は、本発明の技術思想を限定するためのものではなく、ただ説明するためのものであって、このような実施例により本発明の技術思想の範囲が限定されるものではない。
【００５１】
本発明の保護範囲は、特許請求範囲により解釈されるべきであり、それと同等な範囲内にあるあらゆる技術思想は、本発明の権利範囲に含まれるものとして解釈しなければならない。
【符号の説明】
【００５２】
５０      基板
１１０    フレーム部
１２０    基板支持部
１３０    基板ガイド部
１４０    緩衝部
１４２    フレーム支持部
１４５    収納溝
１５０    緩衝部材
【図１】
2015079927.tif 000003
【図２】
2015079927.tif 000004
【図３】
2015079927.tif 000005
【図４】
2015079927.tif 000006
【図５】
2015079927.tif 000007
【図６】
2015079927.tif 000008
【図７】
2015079927.tif 000009